(57)【要約】      （修正有）【課題】病院の簡易個室化に適した移動体の繰り出し装置とそれを用いた簡易個室化仕切り装置であって、移動間仕切りの開閉操作が軽い力でスムーズに行えるようにしたものを提供する。【解決手段】上レール１に繰り出し可能にガイドされる移動体２の引き出し先端下部付近に床面Ｆを転動する下滑動子３を設置すると共に、移動体２の後部上端付近に配設された上滑動子４を上レール１に移動自在に支持させたことにより、所期の主たる目的を達成させるようにした。【選択図】図１
0003171593.tif 000002
【実用新案登録請求の範囲】
【請求項１】
上レール１に繰り出し可能にガイドされる移動体２の引き出し先端（または後端）の下部付近に床面Ｆを移動する下滑動子３を設置すると共に、移動体２の後部（または前部）上端付近に配設された上滑動子４を上レール１に移動自在に支持させて成る移動体の繰り出し装置。
【請求項２】
移動体２を複数枚の移動片２Ａ、２Ｂ・・・が順次引戸状に引き出されるように連係して形成し、移動片２Ａ、２Ｂ・・・のそれぞれの先端（または後端）の一方下部付近に下部滑動子３、３・・・を設置すると共に、移動片２Ａ、２Ｂ・・・の後部（または前部）上端付近に配設された上滑動子４を上レール１に移動自在に支持させて成る請求項１に記載の移動体の繰り出し装置。
【請求項３】
上レール１内に、上滑動子４の滑動を終端で停止状態を保持すると共に移動体２が引き出し終了位置直前に上滑動子４の滑動を制動するようにしたストッパ５を設けた請求項１または２のいずれかに記載の移動体の繰り出し装置。
【請求項４】
移動体２を収納する戸袋部６の後方に延設された上レール１の延長部１１の下方であって、戸袋部６の背方に形成される空所を家具等の設置用凹所８とした簡易個室化仕切り装置。
【考案の詳細な説明】
【技術分野】
【０００１】
本考案は、必要に応じて引き出して空間を仕切るのに使用する移動体であって、移動がスムーズに行える移動体の繰り出し装置とそれを用いた簡易個室化仕切り装置に関するものである。
【背景技術】
【０００２】
例えば病院において、複数人収容の大部屋は、着替えや診察等に際し、プライベート確保の手段として、カーテンを引いて仕切ることが古くから行われているが、家具などを置くスペースが確保し難い欠点があった。これを改善するものとして、家具を仕切りとして設置する方法があるが、家具を固定してしまうと、各個人のスペース間の通路が狭くなってしまうため、家具の先端背部に移動間仕切りを出し入れ自在にしたものが提案されている。
【０００３】
この移動間仕切りは、上部を上レールより吊り下げ、下部をキャスターなどで転がして移動できるようにされるが、床面はどうしても凹凸があるため、移動間仕切りの出し入れは上下に震動しながらにならざるを得ず、操作が重く、殊に病人で非力な者や、車椅子で移動する者には操作し辛い欠点があった。
【０００４】
また、家具等を背中合わせにやや隙間を空けて設置し、その隙間を戸袋部とするので、その嵩張り分がデッドスペースとなって、通常のサイズの家具を設置すると、出っ張って使用スペースが減少するため、専用の奥行きが狭い家具を設置せざるを得ない欠点があった。これは移動体が一枚物の場合には顕著であった。
【０００５】
【特許文献１】特開２００６−１８１３３７号公報
【特許文献２】特開２００７−３１９１８６号公報
【考案の開示】
【考案が解決しようとする課題】
【０００６】
本考案は、移動間仕切りを出し入れするに際し、非力な病人や、車椅子使用者であっても軽い力で簡単にその開閉操作が行える移動体の繰り出し装置とそれを用いた簡易個室化仕切り装置を提供するものであり、また更には、移動体を収納する場合に、その上レールがあっても、従来はデッドスペースとなっていたその下の奥部下方を有効に活用して奥行きのある家具、什器等を収納できるようにするものである。
【考案の効果】
【０００７】
本考案は、上レール１に繰り出し可能にガイドされる移動体２の引き出し先端（または後端）の下部付近に床面Ｆを移動する下滑動子３を設置すると共に、移動体２の後部（または前部）上端付近に配設された上滑動子４を上レール１に移動自在に支持させたことにより、移動体２は上レール１に支持されるポイントと床面に接地して移動するポイントがそれぞれ一点ずつで、しかも鉛直位置が前後にずれて支持されることになり、床面Ｆに凹凸があって下滑動子３が追従すると、移動体２は傾くが、その際の移動体２の傾きは上滑動子４がその回転の中心となり、抵抗なく吸収できて、床面Ｆに多少の凹凸があっても、それを吸収してスムーズに移動体２の出し入れの操作ができる利点がある。
【０００８】
また、移動体２を複数枚の移動片２Ａ、２Ｂ・・・が順次引戸状に引き出されるように連係して形成し、移動片２Ａ、２Ｂ・・・のそれぞれの先端（または後端）の下部付近に下部滑動子３、３・・・を設置すると共に、移動片２Ａ、２Ｂ・・・の後部（または前部）上端付近に配設された上滑動子４を上レール１に移動自在に支持させた場合は、デッドスペースとなる移動間仕切りの収納スペース、即ち戸袋部６の幅が、同じ繰り出し寸法なら、１枚の場合に比して短くなり、その分、収納家具の設置幅が広く取れる。
【０００９】
更に、上レール１内に、上滑動子４の滑動を終端で停止状態を保持するストッパ５を設け、更に移動体２が引き出し終了位置直前に上滑動子４の滑動を制動するものとしておくと、移動間仕切りを引き出した場合、その終端位置で止まるが、その直前でスピードが落ちて最後はゆっくりと移動して静止するので、開閉操作が安全かつスムーズに行える。
【００１０】
また、移動体２の戸袋部６の後方に延設された上レール１の延長部１１の下方であって、戸袋部６の背方に形成される空所を家具等の設置用凹所８とした場合には、必要に応じて左右の２つの空間に家具や設備を設置するに当たり、従来デッドスペースになっていた戸袋部６の厚みを減少し、背中合わせに家具等を設置する場合でもデッドスペースが少なくなる分、奥行きの深い家具等でも無理なく設置できることは勿論、片方開口にすれば、位置をずらせることに寄り、更に奥行きの深い冷蔵庫等でも設置できる。また、上部まで家具等を設置しない場合は、適宜間に仕切り７を設置して左右の部屋のプライバシーを守ることができる。
【考案を実施するための最良の形態】
【００１１】
（基本例）
図１は本考案の基本的な１枚の移動体２の一実施例の概略を示すもので、移動体２の引き出し先端下部にキャスターなどに代表される下滑動子３が床面Ｆに接地するように装着され、またこの移動体２の引き出し後端上部に上滑動子４が装着されていて、この上滑動子４は上レール１に転動自在に係合される。
【００１２】
ここで、下滑動子３を図示例とは逆に移動体２の後端下部に装着する場合は、上レール１を前方に延長して移動体２の前端上部に上滑動子４を装着することになる。この場合、下滑動子３は単輪でも良いし、実質的に同軸上で左右２輪としても良い。
【００１３】
また、移動体２の上端縁にガイドレール１７を装着した場合は、図３のように、移動体２の後端上部において、ガイドレール１７に取り付けられた上滑動子４を上レール１に滑動自在に係合すれば良い。この時も、上滑動子４を前部に設置する場合は、上レール１を前方に延長させる必要がある。また、上滑動子４も実質的に同軸の場合は左右一対も受けても良いし、上部後端に近接させて２箇所又はそれ以上の箇所に配置することも含まれるものである。
【００１４】
上レール１の両縁よりはカバー板１２、１２が垂下され、奥端には奥カバー１３が設置され、上レール１、一対のカバー板１２、１２及び奥カバー１３とで囲まれた空所が戸袋部６となっている。１４は必要に応じて設けられた横揺れ防止のガイドである。また、上レール１の適所には、ダンパーやバネ等により構成されたストッパ５を設置し、移動体２が所定位置まで引き出されると、その位置で停止すると共に、停止直前にブレーキが掛かり、ゆっくりと移動すると共に、当り戻りが生じないようにしている。
【００１５】
また上レール１の延長部１１の幅の略中間部のレール空所に上縁が保持されるように薄板状の仕切り部７が設置され、この仕切り部７の表裏に於いて、上レール１と奥カバー１３並びに延長部１１が当接する部屋の壁面とに囲まれた空所が戸袋部６の背部に於いて、家具等の設置用凹所８を構成している。図は仕切り部７の下部をなくして設置用凹所８の全体に亘る収納ユニット１８を設けた例で、両面から背中合わせに引き出し等を設置したり、前後位置をずらせ、片面開口の片方からのみ使用できる深いボックス部に小型冷蔵庫を前後に設置した例であるが、組合わせは自由である。
【００１６】
（応用例）
図２、３は移動体２を任意の複数枚、例えば２枚の移動片２Ａ、２Ｂにより構成した例で、上レール１はそれぞれ２条のレール溝１Ａ、１Ｂを有するもので、２本設置されるので、幅はその分だけ太くなるが、一枚の移動片２Ａ、２Ｂのそれぞれの幅は図１の一枚の移動体１の場合に比して半分近く減少し、戸袋部６の幅もその分だけ狭くなり、それに伴って、結果的に、戸袋部６の背部の家具等の設置用凹所８の横幅を大きくすることが出来る。
【００１７】
また、移動片２Ａの後端と移動片２Ｂの先端には、連係片１５、１６が設けられ、引き出し始めは移動片２Ａのみが引き出され、連係片１５が１６に引っ掛かることにより、移動片２Ｂも移動することになる。図１と同様のストッパ５は、移動片２Ａ、２Ｂのそれぞれに対応して設置される。更に、下滑動子３、上滑動子４、ガイド１４等は、図１と同様の位置関係で移動片２Ａ、２Ｂのそれぞれに、或いはいずれか一方に配置される。尚、ストッパ５は、単に移動体２をそれが開き切った状態で保持できるものであれば何れの形態であっても問題はなく、また、上記のように閉じる際にゆっくりとブレーキが掛かって減速しながら閉じるダンパー機能を有するものが好ましい。ダンパー機能を有する場合も、図示のものに限定されるものではなく、殊にダンパー部５Ａが横長状であれば、延長部１１の上下厚みが少なくなって、設置用凹所８の上端を上に広く確保できて更に好都合である。
【００１８】
移動片２Ａ、２Ｂのそれぞれの前端下部に下滑動子３、３が設置される場合は、図４のように移動体２Ａ、２Ｂの上縁のガイドレール１７の後端部両側に上滑動子４、４が施されて、この上滑動子４、４が上レール１のレール溝１Ａ、１Ｂに係合して移動片２Ａ、２Ｂを後端部で移動自在に吊り下げられる。また、必要に応じてガイドレール１７の適所左右に施された水平面で回転するローラーが横揺れ防止ガイド１４、１４であって、上レール１の内側両面に転動自在にガイドされるようになっている。
【００１９】
ストッパ５は移動体２が引き出された際に反動で戻らないように保持するものであるが、引き出しの最終段階近くから移動速度が抑制され、開き切った位置でロックされるのが好ましく、図示例では、移動体２（後で引き出される移動片２Ｂ）の後端部に設置されたダンパ部５Ａと上レール１の前端付近に設置された保持部５Ｂとによりストッパ５が構成されており、図５（ａ）のように移動体２が閉まる最後の段階ではダンパ部５Ａが作用してゆっくりと閉じ、閉まり切ると（ｂ）のようにロック状態になる。また開けるときは移動体２を収納部６に押し込むと（ｃ）のようにロックが外れる。
【００２０】
図６は本考案の作用を模式的に説明するもので、（ａ）は床面Ｆが後部から前部に向かい上り傾斜面の場合で、下滑動子３が水平面よりやや持ち上げられ、その分、移動体２はやや前上がり状に傾斜して移動する。（ｂ）は床面Ｆが後部から前部に向かい下がり傾斜面の場合で、下滑動子３が水平面の高さになると、移動体２の後部に対する床面Ｆが水平面より高くても、それに影響されず、移動体２は水平に保持されて移動する。（ｃ）は床面Ｆが後部から前部に向かい凹む傾斜面の場合で、下滑動子３は凹んだ床面Ｆに沿って降下し、それに伴って移動体２は前下がり状に傾斜して移動する。そしてこれらは何れも前部の下滑動子３の床面Ｆへの接地と、後部の上滑動子４の上レール１に対する転がりの２点支持で、スムーズに開閉移動する。
【００２１】
図７は従来の移動体２の上部、下部のそれぞれ２箇所ずつに上滑動子４、４、下滑動子３、３が設けられた場合の図６に対応した状態を示すもので、（ａ）の場合は前部の上滑動子３は浮き上がるが、下滑動子４、４が前後とも前上がりの床面Ｆに接地する。（ｂ）の場合は、後部の上滑動子３は浮き上がるが、下滑動子４、４が前後とも前下がりの床面Ｆに接地する。（ｃ）は、上滑動子４、４はレール１を転動するが、下滑動子３、３は凹んだ床面Ｆより浮き上がる。そして（ａ）、（ｂ）の場合は傾斜した床面Ｆに前後の下滑動子３、３が接地し、一方の上滑動子３が浮き上がって、下滑動子３,３の接地が傾斜面に対して抵抗が大きく、移動体２の移動が重くなる。
【産業上の利用可能性】
【００２２】
本考案の間仕切りは、床面に多少の凹凸があってもそれを吸収して軽く間仕切りの開け閉めが行えるものであった、病院で非力な病人や車椅子使用者であっても、用意に操作ができる。
【００２３】
また、移動体２を複数枚の移動片２Ａ、２Ｂ・・・が順次引戸状に引き出されるようにし、移動片２Ａ、２Ｂ・・・のそれぞれの先端下部付近に下部滑動子３、３・・・を設けた場合は、戸袋部６のデッドスペースとなる移動間仕切りの収納スペースの幅が、１枚の場合に比して短くなり、その分、戸袋部６の背方は従来のように戸袋部６の延長部分がなくなり、比較的奥行きの深いスペースが確保できて、その奥行きが深いスペースに幅の広い収納家具や什器等が設置できる。
【００２４】
更に、上レール１内に、移動体２が引き出し終了位置直前に上滑動子４の滑動を終端で停止状態を保持するストッパ５を設け、ストッパ５が、移動体２が引き出し終了位置直前に上滑動子４の滑動を制動するものとしておくと、移動間仕切りを引き出した場合、少し引き出すと、最後は移動間仕切りが最後まで移動し、そしてその終端位置で止まるので、引き出した際、反動で戻ったりすることもなく、開閉操作スムーズに行える。
【００２５】
上レール１において、移動体２の戸袋部６の前端から後端及び更に後方に延設された延長部１１の下方であって、戸袋部６の背方に、形成される空所を家具等の設置凹所８とするもので、必要に応じてこの凹所８には左右の部屋空間に渡る下部収納等のユニット１８を設置することができる。このユニット１８は、床面から上レール１の延長部１１に渡る全体を均等の奥行きにすることもできるし、或いは必要に応じて一部に薄い仕切り部７を設けても良い。いずれにしても家具等の設置用凹所８には、移動間仕切りの厚い戸袋部の影響を受けず、深い奥行き一杯に家具や冷蔵庫、机等を余裕を持って設置できる。図２，３の例では交互に開口する奥行き一杯の下部収納ユニット１８はパーソナルの冷蔵庫２０が収容できるもので、背部は排気口２１が設置される。２２は両側に設けられた引き出しであり、仕切り部７の両面には姿見２３が設けられ、カウンター等の天板２４の下部には引き出しの横に棚部２５を設けることもできる。また、戸袋部６の両面にはシューズボックス２６、ハンガー２７等、奥行きの狭いものが必要に応じて配置される。
【００２６】
尚、上記の説明では病院の簡易個室化の例を示したが、その他、一般の家庭や業務用スペースの簡易仕切り全般にも適用できる。また、上記では移動体２の戸袋部６の両側に移動体２で区切られる両スペースに家具等のユニット１８、１８を配置することを考慮したものを示したが、その他、図８のように戸袋部６とその片側に配置される家具をセットしたモジュールをユニット１８とし、これを背中合わせに配置し、更にそれを左右に増設するようにすることもできる。図８は１空間をこの方式で区切って複数の机状の天板２４を有するユニット１８を配置して個人ブースを設置する例で、学習塾や図書館、作業ブース等に適用できる。
【００２７】
ここで、複数枚の移動片２Ａ、２Ｂによる移動体２の場合は、配置に当り、上レール１の延長部１１まで含めた奥行きのある天板２４を有する場合はそれらを問題なく背中合わせ及び左右への増設配置が可能であるが、天板２４の奥行きを小さくする場合は、上レール１の延長部１１が天板２４の後端に突出するが、その延長部１１の出っ張りは、高さが同じ場合は図９（ａ）のようにその分左右にずらせばよく、左右を揃えたい時は図９（ｂ）のように延長部１１の高さに差を持たせ、上下に重ねて吸収させると良い。また同図（ａ‘）、（ｂ’）のように上レール１を左右或いは上下に太くして両端から移動体２の後部上端（上移動レール１７）を収納するようにすると、それぞれの上レール１の延長部１１の重なりが（ａ）、（ｂ）のように外部に段違いに露出せず、すっきり納まって仕舞いが良くなる。尚、移動体２はいずれの場合も複数の異動片２Ａ、２Ｂ・・・で構成しても良いし、１枚物であっても良い。
【図面の簡単な説明】
【００２８】
【図１】本考案の移動体が１枚の実施例の概略分解斜視図。
【図２】同上の移動体を２枚の移動片で構成した場合の移動体を引き出した状態の一部分解概略斜視図。
【図３】同上の向きを変え、移動体を閉じた状態の一部分解概略斜視図。
【図４】同上の上レールとスライドレールの要部の分解斜視図。
【図５】同上のストッパの一例の概略作用説明図。
【図６】同上の概略作用説明図。
【図７】従来例の概略作用説明図。
【図８】本発明の他の実施例の概略斜視図。
【図９】同上の延長部の重ね方の配置説明図。
【符号の説明】
【００２９】
１は上レール。
２は移動体。２Ａ、２Ｂ・・・・は移動片。
３は下滑動子。
４は上滑動子。
５はストッパ。
６は戸袋部。
７は仕切り部。
８は家具等の設置用凹所。
１１は延長部。
Ｆは床面。
【図１】
0003171593.tif 000003
【図２】
0003171593.tif 000004
【図３】
0003171593.tif 000005
【図４】
0003171593.tif 000006
【図５】
0003171593.tif 000007
【図６】
0003171593.tif 000008
【図７】
0003171593.tif 000009
【図８】
0003171593.tif 000010
【図９】
0003171593.tif 000011
【手続補正書】
【提出日】平成23年9月1日(2011.9.1)
【手続補正１】
【補正対象書類名】実用新案登録請求の範囲
【補正対象項目名】全文
【補正方法】変更
【補正の内容】
【実用新案登録請求の範囲】
【請求項１】
上レール１に繰り出し可能にガイドされる移動体２の引き出し先端の下部付近に床面Ｆを移動する下滑動子３を設置すると共に、移動体２の後部上端付近に配設された上滑動子４を上レール１に移動自在に支持させて成る移動体の繰り出し装置。
【請求項２】
移動体２を複数枚の移動片２Ａ、２Ｂ・・・が順次引戸状に引き出されるように連係して形成し、移動片２Ａ、２Ｂ・・・のそれぞれの先端の一方下部付近に下部滑動子３、３・・・を設置すると共に、移動片２Ａ、２Ｂ・・・の後部上端付近に配設された上滑動子４を上レール１に移動自在に支持させて成る請求項１に記載の移動体の繰り出し装置。
【請求項３】
上レール１内に、上滑動子４の滑動を終端で停止状態を保持すると共に移動体２が引き出し終了位置直前に上滑動子４の滑動を制動するようにしたストッパ５を設けた請求項１または２のいずれかに記載の移動体の繰り出し装置。
【請求項４】
請求項１乃至３のいずれかに記載の移動体の繰り出し装置であって、移動体２を収納する戸袋部６の後方に延設された上レール１の延長部１１の下方であって、戸袋部６の背方に形成される空所を家具等の設置用凹所８とした簡易個室化仕切り装置。